【手続補正書】
【提出日】平成19年12月10日(2007.12.10)
【手続補正１】
【補正対象書類名】明細書
【補正対象項目名】発明の名称
【補正方法】変更
【補正の内容】
【発明の名称】ＣＭ提供システム、大容量記録媒体供給システム、ＣＭ提供システムにおけるＣＭ提供方法、大容量記録媒体供給システムにおける大容量記録媒体供給方法、及びコンテンツ配信装置
【手続補正２】
【補正対象書類名】明細書
【補正対象項目名】特許請求の範囲
【補正方法】変更
【補正の内容】
【特許請求の範囲】
【請求項１】
予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
所定情報に基づいて、前記ＣＭ保持メモリに予め保持されているＣＭから選別したＣＭを提供するＣＭ提供部と、
前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する配信部と、
前記配信された前記コンテンツを前記付加されたＣＭと共に大容量記録媒体に記録し、前記コンテンツを再生する際、前記ＣＭをスキップできないように再生する記録再生装置と、
を備えたＣＭ提供システム。
【請求項２】
予め複数のコンテンツを保持するコンテンツ保持メモリと、
ユーザから前記コンテンツの配信要求をネットワークを介して受け付ける要求受付部と、
前記ユーザ毎に予め選別されたＣＭを前記ネットワーク上でアクセス可能に供給するＣＭ供給部と、
前記配信要求のあった前記コンテンツを前記コンテンツ保持メモリから選択し前記ネットワークを介して前記ユーザに配信する配信部と、
前記配信された前記コンテンツを大容量記録媒体に記録し、前記記録したコンテンツを再生する際、前記ＣＭ供給部により供給された前記選別されたＣＭにアクセスして再生した場合のみ、前記コンテンツを再生する記録再生装置と、
を備えたＣＭ提供システム。
【請求項３】
ＣＭ情報の要求を受け付けて送信するＣＭ情報要求送信部を備え、
前記ＣＭ情報要求送信部は、前記記録再生装置により再生されたＣＭに関する情報の前記ユーザからの要求を受け付けた場合、前記ＣＭ提供部を有するＣＭ提供者側に対して、前記ユーザからの要求を送信する、請求項１または２記載のＣＭ提供システム。
【請求項４】
前記再生されたＣＭの回数を数えて記憶する記憶部と、
前記ＣＭ提供部を有するＣＭ提供者が、前記配信部を有するコンテンツ配信者に支払うべき額を、前記記憶部に記憶された前記再生されたＣＭの回数に応じて決定する支払額決定部とを備えた、請求項１、２、または３記載のＣＭ提供システム。
【請求項５】
前記所定情報が、前記ユーザの個人情報である、請求項１〜４の何れかに記載のＣＭ提供システム。
【請求項６】  
請求項１〜５の何れかに記載のＣＭ提供システムの前記記録再生装置と接続される、少なくとも前記コンテンツを記録するための前記大容量記録媒体を、前記ユーザにレンタルまたは販売する大容量記録媒体供給システムであって、
前記再生されたＣＭの回数を数え記憶する記憶部と、
前記大容量記録媒体のレンタルの価格または販売の価格を、前記記憶部に記憶された前記再生されたＣＭの回数に基づいて決定する価格決定部とを備えた、大容量記録媒体供給システム。
【請求項７】
大容量記録媒体の購入に際してユーザから所定情報が提供されたかどうかを前記ユーザ毎に保持する所定情報保持メモリと、
予め複数のＣＭを保持するＣＭ保持メモリと、
前記ユーザの所定情報に基づいて、前記ＣＭ保持メモリに予め保持されているＣＭから選別したＣＭを提供するＣＭ提供部と、
ＴＶ番組が再生される際、前記ＣＭ提供部から提供されたＣＭをスキップできないように再生するために、前記ＴＶ番組が記録されるとともに前記ＣＭ提供部から提供されたＣＭが強制的に記録される前記大容量記録媒体の前記ユーザへの販売価格を、少なくとも前記所定情報保持メモリに保持されている前記所定情報の提供の有無に基づいて、決定する販売価格決定部と、
前記再生されたＣＭの回数に基づいて、前記ＣＭ提供部を有するＣＭ提供者が前記大容量記録媒体を販売する販売者に支払うべき支払い額を決定する支払額決定部と、
を備えた大容量記録媒体供給システム。
【請求項８】
大容量記録媒体の購入に際してユーザから所定情報が提供されたかどうかを前記ユーザ毎に保持する所定情報保持メモリと、
予め複数のカタログ情報を保持するカタログ情報保持メモリと、
前記ユーザの所定情報に基づいて、前記カタログ情報保持メモリに予め保持されているカタログ情報から選別したカタログ情報を提供するカタログ情報提供部と、
少なくとも前記カタログ情報提供部から提供されたカタログ情報を記録し、再生する前記大容量記録媒体の前記ユーザへの販売価格を、少なくとも前記所定情報保持メモリに保持されている前記所定情報の提供の有無に基づいて、決定する販売価格決定部と、
前記大容量記録媒体に記録されたカタログ情報を検索して前記カタログ情報から注文された製品の価格に基づいて、前記カタログ情報提供部を有するカタログ情報提供者が前記大容量記録媒体を販売する販売者に支払うべき支払い額を決定する支払額決定部と、
を備えた大容量記録媒体供給システム。
【請求項９】
前記所定情報が、前記ユーザの個人情報である、請求項７又は８に記載の大容量記録媒体供給システム。
【請求項１０】
予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
前記ＣＭ保持メモリに予め保持されているＣＭから選別したＣＭを提供するＣＭ提供部と、
前記配信要求のあったコンテンツに、前記ＣＭ提供部から提供されたＣＭを付加して前記ネットワークを介して前記ユーザに配信する配信部と、
前記配信された前記コンテンツを前記付加されたＣＭと共に大容量記録媒体に記録し、一定の制約の下で前記コンテンツを再生する記録再生装置と、を備えたＣＭ提供システムにおけるＣＭ提供方法であって、
前記ＣＭ提供部が、前記所定情報に基づいて、前記ＣＭ保持メモリに予め保持されているＣＭから選別したＣＭを前記配信部に提供するＣＭ提供工程と、
前記配信部が、前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する配信工程と、
前記記録再生装置が、前記配信された前記コンテンツを前記付加されたＣＭと共に前記大容量記録媒体に記録し、前記コンテンツを再生する際、前記一定の制約として前記ＣＭをスキップできないように再生する記録再生工程と、
を備えたＣＭ提供システムにおけるＣＭ提供方法。
【請求項１１】
予め複数のコンテンツを保持するコンテンツ保持メモリと、
ユーザから前記コンテンツの配信要求をネットワークを介して受け付ける要求受付部と、
ＣＭを前記ネットワーク上でアクセス可能に供給するＣＭ供給部と、
前記配信要求のあった前記コンテンツを前記ネットワークを介して前記ユーザに配信する配信部と、
前記配信された前記コンテンツを大容量記録媒体に記録し、一定の制約の下で前記記録したコンテンツを再生する記録再生装置と、を備えたＣＭ提供システムにおけるＣＭ提供方法であって、
前記ＣＭ供給部が、前記ユーザ毎に予め選別されたＣＭを前記ネットワーク上でアクセス可能に供給するＣＭ供給工程と、
前記配信部が、前記配信要求のあった前記コンテンツを前記コンテンツ保持メモリから選択し前記ネットワークを介して前記ユーザに配信する配信工程と、
前記記録再生装置が、前記配信された前記コンテンツを前記大容量記録媒体に記録し、前記記録したコンテンツを再生する際、前記一定の制約として前記ＣＭ供給部により供給された前記選別されたＣＭにアクセスして再生した場合のみ、前記コンテンツを再生する記録再生工程と、
を備えたＣＭ提供システムにおけるＣＭ提供方法。
【請求項１２】
ＣＭ情報の要求を受け付けて送信するＣＭ情報要求送信部が前記ＣＭ提供システムに具備されており、
前記ＣＭ情報要求送信部が、前記記録再生装置により再生されたＣＭに関する情報の前記ユーザからの要求を受け付けた場合、前記ＣＭ提供部を有するＣＭ提供者側に対して、前記ユーザからの要求を送信するＣＭ情報要求送信工程を備えた、請求項１０または１１記載のＣＭ提供システムにおけるＣＭ提供方法。
【請求項１３】
前記再生されたＣＭの回数を数えて記憶する記憶部と、
前記ＣＭ提供部を有するＣＭ提供者が、前記配信部を有するコンテンツ配信者に支払うべき額を、決定する支払額決定部とが、前記ＣＭ提供システムに具備されており、
前記ＣＭ提供部を有するＣＭ提供者が前記配信部を有するコンテンツ配信者に支払うべき額を、前記支払額決定部が前記記憶部に記憶された前記ＣＭの回数に応じて決定する支払額決定工程と、
を備えた請求項１０、１１、または１２記載のＣＭ提供システムにおけるＣＭ提供方法。
【請求項１４】  
前記所定情報が、前記ユーザの個人情報である、請求項１０〜１３の何れかに記載のＣＭ提供システムにおけるＣＭ提供方法。
【請求項１５】  
請求項１０〜１４の何れかに記載のＣＭ提供システムにおけるＣＭ提供方法の前記記録再生工程で使用する少なくとも前記コンテンツを記録するための前記大容量記録媒体を、前記ユーザにレンタルまたは販売する大容量記録媒体供給システムにおける大容量記録媒体供給方法であって、
前記再生されたＣＭの回数を数え記憶する記憶部と、
前記大容量記録媒体のレンタルの価格または販売の価格を決定する価格決定部とが前記大容量記録媒体供給システムに具備されており、
前記価格決定部が前記記憶部に記憶された前記ＣＭの回数に基づいて前記価格を決定する価格決定工程を、備えた大容量記録媒体供給システムにおける大容量記録媒体供給方法。
【請求項１６】
大容量記録媒体の購入に際してユーザから所定情報が提供されたかどうかを前記ユーザ毎に保持する所定情報保持メモリと、
予め複数のＣＭを保持するＣＭ保持メモリと、
前記ＣＭ保持メモリに予め保持されているＣＭから選別したＣＭを提供するＣＭ提供部と、
ＴＶ番組が再生される際、前記ＣＭ提供部から提供されたＣＭをスキップできないように再生するために、前記ＴＶ番組が記録されるとともに前記ＣＭ提供部から提供されたＣＭが強制的に記録される前記大容量記録媒体の前記ユーザへの販売価格を決定する販売価格決定部と、
前記ＣＭ提供部を有するＣＭ提供者が前記大容量記録媒体を販売する販売者に支払うべき支払い額を決定する支払額決定部と、を備えた大容量記録媒体供給システムにおける大容量記録媒体供給方法であって、
前記ＣＭ提供部が、前記ユーザの所定情報に基づいて、前記ＣＭ保持メモリに予め保持されているＣＭから選別したＣＭを提供するＣＭ提供工程と、
前記販売価格決定部が、前記大容量記録媒体の前記ユーザへの初回の販売価格を、前記所定情報保持メモリに保持されている前記所定情報の提供の有無に基づいて決定し、２回目以降の販売価格を、前記再生されたＣＭの回数に基づいて決定する販売価格決定工程と、
前記支払額決定部が、前記再生されたＣＭの回数に基づいて、前記ＣＭ提供部を有するＣＭ提供者が大容量記録媒体を販売する販売者に支払うべき支払い額を決定する支払額決定工程と、
を備えた大容量記録媒体供給システムにおける大容量記録媒体供給方法。
【請求項１７】
大容量記録媒体の購入に際してユーザから所定情報が提供されたかどうかを前記ユーザ毎に保持する所定情報保持メモリと、
予め複数のカタログ情報を保持するカタログ情報保持メモリと、
前記カタログ情報保持メモリに予め保持されているカタログ情報から選別したカタログ情報を提供するカタログ情報提供部と、
少なくとも前記カタログ情報提供部から提供されたカタログ情報を記録し、再生する前記大容量記録媒体の前記ユーザへの販売価格を決定する販売価格決定部と、
前記カタログ情報提供部を有するカタログ情報提供者が前記大容量記録媒体を販売する販売者に支払うべき支払い額を決定する支払額決定部と、を備えた大容量記録媒体供給システムにおける大容量記録媒体供給方法であって、
前記カタログ情報提供部が、前記ユーザの所定情報に基づいて、前記カタログ情報保持メモリに予め保持されているカタログ情報から選別したカタログ情報を提供するカタログ情報提供工程と、
前記販売価格決定部が、前記大容量記録媒体の前記ユーザへの初回の販売価格を、前記所定情報保持メモリに保持されている前記所定情報の提供の有無に基づいて決定し、２回目以降の販売価格を、前記記録されたカタログ情報が検索されて前記カタログ情報から注文された製品の価格に基づいて決定する販売価格決定工程と、
前記支払額決定部が、前記注文された製品の価格に基づいて、前記カタログ情報提供部を有するカタログ情報提供者が前記大容量記録媒体を販売する販売者に支払うべき支払い額を決定する支払額決定工程と、
を備えた大容量記録媒体供給システムにおける大容量記録媒体供給方法。
【請求項１８】
前記所定情報が、前記ユーザの個人情報である、請求項１６又は１７に記載の大容量記録媒体供給システムにおける大容量記録媒体供給方法。
【請求項１９】
予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
所定情報に基づいて、前記ＣＭ保持メモリに予め保持されているＣＭから選別したＣＭを提供するＣＭ提供部と、
配信される前記コンテンツを、前記ＣＭと共に大容量記録媒体に記録し、前記コンテンツを再生する際、前記ＣＭをスキップできないように再生する記録再生装置とを備えたＣＭ提供システムを構成するコンテンツ配信装置であって、
前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する、コンテンツ配信装置。
【請求項２０】
予め複数のコンテンツを保持するコンテンツ保持メモリと、
ユーザから前記コンテンツの配信要求をネットワークを介して受け付ける要求受付部と、
前記ユーザ毎に予め選別されたＣＭを前記ネットワーク上でアクセス可能に供給するＣＭ供給部と、
配信される前記コンテンツを大容量記録媒体に記録し、前記記録したコンテンツを再生する際、前記ＣＭ供給部により供給された前記選別されたＣＭにアクセスして再生した場合のみ、前記コンテンツを再生する記録再生装置と、を備えたＣＭ提供システムを構成するコンテンツ配信装置であって、
前記配信要求のあった前記コンテンツを前記コンテンツ保持メモリから選択し前記ネットワークを介して前記ユーザに配信する、コンテンツ配信装置。
【請求項２１】
前記所定情報が、前記ユーザの個人情報である、請求項１９又は２０に記載のコンテンツ配信装置。
【手続補正３】
【補正対象書類名】明細書
【補正対象項目名】０００７
【補正方法】変更
【補正の内容】
【０００７】
本発明は、従来のこのような課題を考慮し、記録容量の増大に対応できるように、大容量記録媒体を低価格で製品サイクルに合わせて供給可能であり、また、コマーシャルを提供する側のビジネスチャンスを生かすことができるＣＭ提供システム、大容量記録媒体供給システム、ＣＭ提供システムにおけるＣＭ提供方法、大容量記録媒体供給システムにおける大容量記録媒体供給方法、及びコンテンツ配信装置を提供することを目的とするものである。
【手続補正４】
【補正対象書類名】明細書
【補正対象項目名】０００８
【補正方法】変更
【補正の内容】
【０００８】
【課題を解決するための手段】
第１の本発明は、予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
所定情報に基づいて、前記ＣＭ保持メモリに予め保持されているＣＭから選別したＣＭを提供するＣＭ提供部と、
前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する配信部と、
前記配信された前記コンテンツを前記付加されたＣＭと共に大容量記録媒体に記録し、前記コンテンツを再生する際、前記ＣＭをスキップできないように再生する記録再生装置と、
を備えたＣＭ提供システムである。
また、第２の本発明は、予め複数のコンテンツを保持するコンテンツ保持メモリと、
ユーザから前記コンテンツの配信要求をネットワークを介して受け付ける要求受付部と、
前記ユーザ毎に予め選別されたＣＭを前記ネットワーク上でアクセス可能に供給するＣＭ供給部と、
前記配信要求のあった前記コンテンツを前記コンテンツ保持メモリから選択し前記ネットワークを介して前記ユーザに配信する配信部と、
前記配信された前記コンテンツを大容量記録媒体に記録し、前記記録したコンテンツを再生する際、前記ＣＭ供給部により供給された前記選別されたＣＭにアクセスして再生した場合のみ、前記コンテンツを再生する記録再生装置と、
を備えたＣＭ提供システムである。
また、第３の本発明は、ＣＭ情報の要求を受け付けて送信するＣＭ情報要求送信部を備え、
前記ＣＭ情報要求送信部は、前記記録再生装置により再生されたＣＭに関する情報の前記ユーザからの要求を受け付けた場合、前記ＣＭ提供部を有するＣＭ提供者側に対して、前記ユーザからの要求を送信する、上記第１または２の本発明のＣＭ提供システムである。
また、第４の本発明は、前記再生されたＣＭの回数を数えて記憶する記憶部と、
前記ＣＭ提供部を有するＣＭ提供者が、前記配信部を有するコンテンツ配信者に支払うべき額を、前記記憶部に記憶された前記再生されたＣＭの回数に応じて決定する支払額決定部とを備えた、上記第１、２、または３の本発明のＣＭ提供システムである。
また、第５の本発明は、前記所定情報が、前記ユーザの個人情報である、上記第１〜４の何れかの本発明のＣＭ提供システムである。
また、第６の本発明は、上記第１〜５の何れかの本発明のＣＭ提供システムの前記記録再生装置と接続される、少なくとも前記コンテンツを記録するための前記大容量記録媒体を、前記ユーザにレンタルまたは販売する大容量記録媒体供給システムであって、
前記再生されたＣＭの回数を数え記憶する記憶部と、
前記大容量記録媒体のレンタルの価格または販売の価格を、前記記憶部に記憶された前記再生されたＣＭの回数に基づいて決定する価格決定部とを備えた、大容量記録媒体供給システムである。
また、第７の本発明は、大容量記録媒体の購入に際してユーザから所定情報が提供されたかどうかを前記ユーザ毎に保持する所定情報保持メモリと、
予め複数のＣＭを保持するＣＭ保持メモリと、
前記ユーザの所定情報に基づいて、前記ＣＭ保持メモリに予め保持されているＣＭから選別したＣＭを提供するＣＭ提供部と、
ＴＶ番組が再生される際、前記ＣＭ提供部から提供されたＣＭをスキップできないように再生するために、前記ＴＶ番組が記録されるとともに前記ＣＭ提供部から提供されたＣＭが強制的に記録される前記大容量記録媒体の前記ユーザへの販売価格を、少なくとも前記所定情報保持メモリに保持されている前記所定情報の提供の有無に基づいて、決定する販売価格決定部と、
前記再生されたＣＭの回数に基づいて、前記ＣＭ提供部を有するＣＭ提供者が前記大容量記録媒体を販売する販売者に支払うべき支払い額を決定する支払額決定部と、
を備えた大容量記録媒体供給システムである。
また、第８の本発明は、大容量記録媒体の購入に際してユーザから所定情報が提供されたかどうかを前記ユーザ毎に保持する所定情報保持メモリと、
予め複数のカタログ情報を保持するカタログ情報保持メモリと、
前記ユーザの所定情報に基づいて、前記カタログ情報保持メモリに予め保持されているカタログ情報から選別したカタログ情報を提供するカタログ情報提供部と、
少なくとも前記カタログ情報提供部から提供されたカタログ情報を記録し、再生する前記大容量記録媒体の前記ユーザへの販売価格を、少なくとも前記所定情報保持メモリに保持されている前記所定情報の提供の有無に基づいて、決定する販売価格決定部と、
前記大容量記録媒体に記録されたカタログ情報を検索して前記カタログ情報から注文された製品の価格に基づいて、前記カタログ情報提供部を有するカタログ情報提供者が前記大容量記録媒体を販売する販売者に支払うべき支払い額を決定する支払額決定部と、
を備えた大容量記録媒体供給システムである。
また、第９の本発明は、前記所定情報が、前記ユーザの個人情報である、上記第７又は８の本発明の大容量記録媒体供給システムである。
また、第１０の本発明は、予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
前記ＣＭ保持メモリに予め保持されているＣＭから選別したＣＭを提供するＣＭ提供部と、
前記配信要求のあったコンテンツに、前記ＣＭ提供部から提供されたＣＭを付加して前記ネットワークを介して前記ユーザに配信する配信部と、
前記配信された前記コンテンツを前記付加されたＣＭと共に大容量記録媒体に記録し、一定の制約の下で前記コンテンツを再生する記録再生装置と、を備えたＣＭ提供システムにおけるＣＭ提供方法であって、
前記ＣＭ提供部が、前記所定情報に基づいて、前記ＣＭ保持メモリに予め保持されているＣＭから選別したＣＭを前記配信部に提供するＣＭ提供工程と、
前記配信部が、前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する配信工程と、
前記記録再生装置が、前記配信された前記コンテンツを前記付加されたＣＭと共に前記大容量記録媒体に記録し、前記コンテンツを再生する際、前記一定の制約として前記ＣＭをスキップできないように再生する記録再生工程と、
を備えたＣＭ提供システムにおけるＣＭ提供方法である。
また、第１１の本発明は、予め複数のコンテンツを保持するコンテンツ保持メモリと、
ユーザから前記コンテンツの配信要求をネットワークを介して受け付ける要求受付部と、
ＣＭを前記ネットワーク上でアクセス可能に供給するＣＭ供給部と、
前記配信要求のあった前記コンテンツを前記ネットワークを介して前記ユーザに配信する配信部と、
前記配信された前記コンテンツを大容量記録媒体に記録し、一定の制約の下で前記記録したコンテンツを再生する記録再生装置と、を備えたＣＭ提供システムにおけるＣＭ提供方法であって、
前記ＣＭ供給部が、前記ユーザ毎に予め選別されたＣＭを前記ネットワーク上でアクセス可能に供給するＣＭ供給工程と、
前記配信部が、前記配信要求のあった前記コンテンツを前記コンテンツ保持メモリから選択し前記ネットワークを介して前記ユーザに配信する配信工程と、
前記記録再生装置が、前記配信された前記コンテンツを前記大容量記録媒体に記録し、前記記録したコンテンツを再生する際、前記一定の制約として前記ＣＭ供給部により供給された前記選別されたＣＭにアクセスして再生した場合のみ、前記コンテンツを再生する記録再生工程と、
を備えたＣＭ提供システムにおけるＣＭ提供方法である。
また、第１２の本発明は、ＣＭ情報の要求を受け付けて送信するＣＭ情報要求送信部が前記ＣＭ提供システムに具備されており、
前記ＣＭ情報要求送信部が、前記記録再生装置により再生されたＣＭに関する情報の前記ユーザからの要求を受け付けた場合、前記ＣＭ提供部を有するＣＭ提供者側に対して、前記ユーザからの要求を送信するＣＭ情報要求送信工程を備えた、上記第１０または１１の本発明のＣＭ提供システムにおけるＣＭ提供方法である。
また、第１３の本発明は、前記再生されたＣＭの回数を数えて記憶する記憶部と、
前記ＣＭ提供部を有するＣＭ提供者が、前記配信部を有するコンテンツ配信者に支払うべき額を、決定する支払額決定部とが、前記ＣＭ提供システムに具備されており、
前記ＣＭ提供部を有するＣＭ提供者が前記配信部を有するコンテンツ配信者に支払うべき額を、前記支払額決定部が前記記憶部に記憶された前記ＣＭの回数に応じて決定する支払額決定工程と、
を備えた上記第１０、１１、または１２の本発明のＣＭ提供システムにおけるＣＭ提供方法である。
また、第１４の本発明は、前記所定情報が、前記ユーザの個人情報である、上記第１０〜１３の何れかの本発明のＣＭ提供システムにおけるＣＭ提供方法である。
また、第１５の本発明は、上記第１０〜１４の何れかの本発明のＣＭ提供システムにおけるＣＭ提供方法の前記記録再生工程で使用する少なくとも前記コンテンツを記録するための前記大容量記録媒体を、前記ユーザにレンタルまたは販売する大容量記録媒体供給システムにおける大容量記録媒体供給方法であって、
前記再生されたＣＭの回数を数え記憶する記憶部と、
前記大容量記録媒体のレンタルの価格または販売の価格を決定する価格決定部とが前記大容量記録媒体供給システムに具備されており、
前記価格決定部が前記記憶部に記憶された前記ＣＭの回数に基づいて前記価格を決定する価格決定工程を、備えた大容量記録媒体供給システムにおける大容量記録媒体供給方法である。
また、第１６の本発明は、大容量記録媒体の購入に際してユーザから所定情報が提供されたかどうかを前記ユーザ毎に保持する所定情報保持メモリと、
予め複数のＣＭを保持するＣＭ保持メモリと、
前記ＣＭ保持メモリに予め保持されているＣＭから選別したＣＭを提供するＣＭ提供部と、
ＴＶ番組が再生される際、前記ＣＭ提供部から提供されたＣＭをスキップできないように再生するために、前記ＴＶ番組が記録されるとともに前記ＣＭ提供部から提供されたＣＭが強制的に記録される前記大容量記録媒体の前記ユーザへの販売価格を決定する販売価格決定部と、
前記ＣＭ提供部を有するＣＭ提供者が前記大容量記録媒体を販売する販売者に支払うべき支払い額を決定する支払額決定部と、を備えた大容量記録媒体供給システムにおける大容量記録媒体供給方法であって、
前記ＣＭ提供部が、前記ユーザの所定情報に基づいて、前記ＣＭ保持メモリに予め保持されているＣＭから選別したＣＭを提供するＣＭ提供工程と、
前記販売価格決定部が、前記大容量記録媒体の前記ユーザへの初回の販売価格を、前記所定情報保持メモリに保持されている前記所定情報の提供の有無に基づいて決定し、２回目以降の販売価格を、前記再生されたＣＭの回数に基づいて決定する販売価格決定工程と、
前記支払額決定部が、前記再生されたＣＭの回数に基づいて、前記ＣＭ提供部を有するＣＭ提供者が大容量記録媒体を販売する販売者に支払うべき支払い額を決定する支払額決定工程と、
を備えた大容量記録媒体供給システムにおける大容量記録媒体供給方法である。
また、第１７の本発明は、大容量記録媒体の購入に際してユーザから所定情報が提供されたかどうかを前記ユーザ毎に保持する所定情報保持メモリと、
予め複数のカタログ情報を保持するカタログ情報保持メモリと、
前記カタログ情報保持メモリに予め保持されているカタログ情報から選別したカタログ情報を提供するカタログ情報提供部と、
少なくとも前記カタログ情報提供部から提供されたカタログ情報を記録し、再生する前記大容量記録媒体の前記ユーザへの販売価格を決定する販売価格決定部と、
前記カタログ情報提供部を有するカタログ情報提供者が前記大容量記録媒体を販売する販売者に支払うべき支払い額を決定する支払額決定部と、を備えた大容量記録媒体供給システムにおける大容量記録媒体供給方法であって、
前記カタログ情報提供部が、前記ユーザの所定情報に基づいて、前記カタログ情報保持メモリに予め保持されているカタログ情報から選別したカタログ情報を提供するカタログ情報提供工程と、
前記販売価格決定部が、前記大容量記録媒体の前記ユーザへの初回の販売価格を、前記所定情報保持メモリに保持されている前記所定情報の提供の有無に基づいて決定し、２回目以降の販売価格を、前記記録されたカタログ情報が検索されて前記カタログ情報から注文された製品の価格に基づいて決定する販売価格決定工程と、
前記支払額決定部が、前記注文された製品の価格に基づいて、前記カタログ情報提供部を有するカタログ情報提供者が前記大容量記録媒体を販売する販売者に支払うべき支払い額を決定する支払額決定工程と、
を備えた大容量記録媒体供給システムにおける大容量記録媒体供給方法である。
また、第１８の本発明は、前記所定情報が、前記ユーザの個人情報である、上記第１６又は１７の本発明の大容量記録媒体供給システムにおける大容量記録媒体供給方法である。
また、第１９の本発明は、予め複数のコンテンツを保持するコンテンツ保持メモリと、
ユーザから前記コンテンツの配信要求をネットワークを介して受け付ける要求受付部と、
予め複数のＣＭを保持するＣＭ保持メモリと、
所定情報に基づいて、前記ＣＭ保持メモリに予め保持されているＣＭから選別したＣＭを提供するＣＭ提供部と、
配信される前記コンテンツを、前記ＣＭと共に大容量記録媒体に記録し、前記コンテンツを再生する際、前記ＣＭをスキップできないように再生する記録再生装置とを備えたＣＭ提供システムを構成するコンテンツ配信装置であって、
前記配信要求のあった前記コンテンツを前記コンテンツ保持メモリから選択し、前記選択されたコンテンツに、前記ＣＭ提供部から提供されたＣＭを付加して前記ネットワークを介して前記ユーザに配信する、コンテンツ配信装置である。
また、第２０の本発明は、予め複数のコンテンツを保持するコンテンツ保持メモリと、
ユーザから前記コンテンツの配信要求をネットワークを介して受け付ける要求受付部と、
前記ユーザ毎に予め選別されたＣＭを前記ネットワーク上でアクセス可能に供給するＣＭ供給部と、
配信される前記コンテンツを大容量記録媒体に記録し、前記記録したコンテンツを再生する際、前記ＣＭ供給部により供給された前記選別されたＣＭにアクセスして再生した場合のみ、前記コンテンツを再生する記録再生装置と、を備えたＣＭ提供システムを構成するコンテンツ配信装置であって、
前記配信要求のあった前記コンテンツを前記コンテンツ保持メモリから選択し前記ネットワークを介して前記ユーザに配信する、コンテンツ配信装置である。
また、第２１の本発明は、前記所定情報が、前記ユーザの個人情報である、上記第１９又は２０の本発明のコンテンツ配信装置である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００４３
【補正方法】変更
【補正の内容】
【００４３】
さらに、上記実施の形態の大容量記録媒体供給方法の全部または一部のステップの全部または一部の動作をコンピュータにより実行させるためのプログラム及び／またはデータを記録したプログラム記録媒体は、コンピュータにより読み取り可能であり、読み取られた前記プログラム及び／またはデータが前記コンピュータと協動して前記機能を実行するプログラム記録媒体であっても良い。
尚、本明細書に開示した発明は、ユーザがコンテンツ配信者にコンテンツを要求し、ＣＭ提供者がユーザの個人情報及び／又は要求されたコンテンツの内容に基づいて、ＣＭを選別してコンテンツ配信者に提供し、コンテンツ配信者は要求されたコンテンツにＣＭを付加してユーザに配信し、ユーザは、ＣＭを再生した場合のみ、コンテンツを再生することが可能となるＣＭ提供方法である。
また、本明細書に開示した別の発明は、ユーザがコンテンツ配信者にコンテンツを要求し、ＣＭ提供者がユーザの個人情報及び／又は要求されたコンテンツの内容に基づいて、ＣＭを選別し、コンテンツ配信者は要求されたコンテンツをユーザに配信し、ユーザは、選別されたＣＭにアクセスして再生した場合のみ、コンテンツを再生することが可能となるＣＭ提供方法である。
更に別の発明は、上記いずれかの発明のＣＭ提供方法において、ユーザのコンテンツの要求は、ユーザがコンテンツ配信者に入会することにより可能となるものであり、ユーザがコンテンツ配信者に入会する際、自身の個人情報を提供し、その入会によりコンテンツ配信者はユーザにコンテンツ及びＣＭの記録・再生のみに用いる大容量記録媒体をレンタルまたは販売する大容量記録媒体供給方法である。
更に別の発明は、ユーザが記録媒体供給者から大容量記録媒体を購入する際、個人情報を提供し、その提供により記録媒体供給者はユーザに大容量記録媒体を割引きして販売するとともに、ＣＭ提供者にユーザの個人情報を提供し、ＣＭ提供者はユーザの個人情報に基づいて、ＣＭを選別し、ユーザが大容量記録媒体にＴＶ番組等のコンテンツを記録する場合に、選別されたＣＭが強制的に記録される大容量記録媒体供給方法であって、ユーザが記録されたＣＭを再生した場合は、その再生されたＣＭの量に応じた割引分の料金が、ＣＭ提供者から記録媒体供給者に支払われ、ユーザが記録媒体供給者から次に大容量記録媒体を購入するときに、割引分の料金に応じた料金が割引される大容量記録媒体供給方法である。
更にまた別の発明は、ユーザが記録媒体供給者から大容量記録媒体を購入する際、個人情報を提供し、その提供により記録媒体供給者はユーザに大容量記録媒体を割引きして販売するとともに、製品提供者にユーザの個人情報を提供し、製品提供者はユーザの個人情報に基づいて、製品カタログを選別し、ユーザが購入した大容量記録媒体に選別した製品カタログを記録し、ユーザが記録された製品カタログにより購入希望の製品を選択して製品提供者に注文する大容量記録媒体供給方法であって、ユーザが注文した製品の価格に応じた割引分の料金が、製品提供者から記録媒体供給者に支払われ、ユーザが記録媒体供給者から次に大容量記録媒体を購入するときに、割引分の料金に応じた料金が割引される大容量記録媒体供給方法である。